(57)【要約】      （修正有）【課題】立体視または可変視用の印刷画像もしくは印刷図柄・模様が見えるようにしたレンズ付き印刷物において、このレンズ付き印刷物のレンズ部が復元したり、または、消失したりする画像もしくは図柄・模様に独自の変化を与える立体感や加飾効果に優れるレンズ付き印刷物を提供する。【解決手段】立体視または可変視用の印刷画像（印刷図柄・模様も含む）が見えるようにしたレンズ付き印刷物１０において、透明樹脂フィルム基材２の片面に、形状記憶樹脂からなる所定のピッチの微細なレンズ群からなるレンズ部１ａを形成し、そのレンズ部の反対面の前記透明樹脂フィルム基材に、前記レンズピッチと前記印刷画像ピッチとが一致するように、印刷画像３を形成した立体視または可変視画像シートの印刷画像面側に、熱可塑性樹脂層５を介して、紙基材またはフィルム基材６を積層してなる。【選択図】図１
2008112039.tif 000002
【特許請求の範囲】
【請求項１】
立体視または可変視用の印刷画像（印刷図柄・模様も含む）が見えるようにしたレンズ付き印刷物において、
透明樹脂フィルム基材の片面に、形状記憶樹脂からなる所定のピッチの微細なレンズ群からなるレンズ部を形成し、そのレンズ部の反対面の前記透明樹脂フィルム基材に、前記レンズピッチと前記印刷画像ピッチとが一致するように、印刷画像を形成した立体視または可変視画像シートの印刷画像面側に、熱可塑性樹脂層を介して、紙基材またはフィルム基材を積層してなることを特徴とするレンズ付き印刷物。
【請求項２】
前記形状記憶樹脂が、ポリウレタン系形状記憶ポリマーであることを特徴する請求項１記載のレンズ付き印刷物。
【請求項３】
前記立体視または可変視画像シートのレンズ部が、微細なレンズ群が所定のピッチで配列された凸状シリンドリカルレンズを並設してなるレンチキュラーレンズまたは単位凸状レンズを２次元配列してなるマイクロレンズアレイからなることを特徴とする請求項１または２記載のレンズ付き印刷物。
【請求項４】
前記レンズ部が、前記透明樹脂フィルム基材上に形状記憶樹脂層を形成し、その形状記憶樹脂のガラス転移点以上の溶融成形温度で前記形状記憶樹脂層に平坦面を形成しその平坦面形状を記憶した第１次賦形を施した後、前記形状記憶樹脂のガラス転移点以上の温度でかつ溶融成形温度よりも低い温度で前記平坦面形状を所定のピッチの微細なレンズ群からなるレンズ形状に変形し、そのレンズ形状を保持した状態で前記ガラス転移点より低い温度に冷却して前記レンズ形状を固定し第２次賦形を施して、前記ガラス転移点以上の温度でかつ溶融成形温度よりも低い温度で、前記記憶した第１次賦形の平坦面形状を復元するように成形加工を施された、前記第２次賦形で形成されたレンズ形状を有するレンズ部であることを特徴とする請求項１〜３のいずれか１項に記載のレンズ付き印刷物。
【請求項５】
前記レンズ部が、前記透明樹脂フィルム基材上に形状記憶樹脂層を形成し、その形状記憶樹脂のガラス転移点以上の溶融成形温度で前記形状記憶樹脂層に前記所定のピッチの微細なレンズ群からなるレンズ形状を記憶した第１次賦形を施した後、前記形状記憶樹脂のガラス転移点以上の温度でかつ溶融成形温度よりも低い温度で前記レンズ形状を平坦面に変形し、その平坦面形状を保持した状態で前記ガラス転移点より低い温度に冷却して前記平坦面形状を固定し第２次賦形を施して、前記ガラス転移点以上の温度でかつ溶融成形温度よりも低い温度で、前記記憶した第１次賦形のレンズ形状を復元するように成形加工を施された、前記第１次賦形で形成されたレンズ形状を有するレンズ部であることを特徴とする請求項１〜３のいずれか１項に記載のレンズ付き印刷物。
【発明の詳細な説明】
【技術分野】
【０００１】
本発明は、立体視または可変視用の印刷画像もしくは印刷図柄・模様が見えるようにしたレンズ付き印刷物に関し、さらに詳細には、このレンズ付き印刷物の形状記憶樹脂からなるレンズ部が形状記憶樹脂のガラス転移点以上の温度でかつ溶融成形温度より低い温度で復元したり、または、消失したりする画像もしくは図柄・模様に独自の変化を与える立体感や加飾効果に優れるレンズ付き印刷物に関するものである。
【背景技術】
【０００２】
従来から、例えば、特許文献１で提案されているように、印刷等により平面的に視覚表現された絵や図柄等の画像（「立体視用の画像」）をレンチキュラーレンズを用いて立体的に視認できるようにした立体印刷物はよく知られている。この立体印刷物は、左右の目で像を結ぶことができる立体視用の画像をレンチキュラーレンズの微細な凸レンズ列と同じ間隔（ピッチ）で線状に配列し、立体画像として認識することができるようにしたものである。
【０００３】
また、レンチキュラーレンズに、２種類３種類以上の絵や図柄等をこのレンズの微細な凸レンズ列の間隔（ピッチ）に合わせて交互にまたは種類順に繰り返して短冊状に合成した画像（「可変視用の画像」）を配設し、見る角度によって２種類または数種類の異なる絵柄が見えるようにした可変印刷物もよく知られている。
【０００４】
従来、上記の立体視または可変視印刷物は、平面の画像に遠近感や立体感を与えたり、動作変化を与える印刷物の技法として、あらかじめ複数の画像を縦方向または横方向に多数の線状帯に分け、これら異なる画像の線状帯を順次に並べて一枚に印刷し、その上に線状帯のピッチと方向に合わせたかまぼこ状の微細レンズの集合体からなるレンチキュラーシート等のレンズ作用により、複数の画像を重ね合わせ普通の視覚距離で結合して見せ、画面に立体感を出したり、画面を傾けることにより画像の変化を与える方法が取られている。画面を傾けて画像の変化を与える場合、画面にはめ込むかまたは分割して異なった２つの画像を一枚に印刷し、レンチキュラーシートを張つけても、傾きによるそれぞれの画像の変化は同一で、それぞれの画像に独自の変化を与えることは出来なかった。
【特許文献１】特許第３０３８３２９号公報
【発明の開示】
【発明が解決しようとする課題】
【０００５】
本発明は、上記の課題を考慮してなされたものであって、立体視または可変視用の印刷画像もしくは印刷図柄・模様が見えるようにしたレンズ付き印刷物において、このレンズ付き印刷物のレンズ部が復元したり、または、消失したりする画像もしくは図柄・模様に独自の変化を与える立体感や加飾効果に優れるレンズ付き印刷物を提供するものである。
【課題を解決するための手段】
【０００６】
上記の目的を達成するために、即ち、
請求項１に係る発明は、
立体視または可変視用の印刷画像（印刷図柄・模様も含む）が見えるようにしたレンズ付き印刷物において、
透明樹脂フィルム基材の片面に、形状記憶樹脂からなる所定のピッチの微細なレンズ群からなるレンズ部を形成し、そのレンズ部の反対面の前記透明樹脂フィルム基材に、前記レンズピッチと前記印刷画像ピッチとが一致するように、印刷画像を形成した立体視または可変視画像シートの印刷画像面側に、熱可塑性樹脂層を介して、紙基材またはフィルム
基材を積層してなることを特徴とするレンズ付き印刷物である。
【０００７】
また、請求項２に係る発明は、
前記形状記憶樹脂が、ポリウレタン系形状記憶ポリマーであることを特徴する請求項１記載のレンズ付き印刷物である。
【０００８】
また、請求項３に係る発明は、
前記立体視または可変視画像シートのレンズ部が、微細なレンズ群が所定のピッチで配列された凸状シリンドリカルレンズを並設してなるレンチキュラーレンズまたは単位凸状レンズを２次元配列してなるマイクロレンズアレイからなることを特徴とする請求項１または２記載のレンズ付き印刷物である。
【０００９】
また、請求項４に係る発明は、
前記レンズ部が、前記透明樹脂フィルム基材上に形状記憶樹脂層を形成し、その形状記憶樹脂のガラス転移点以上の溶融成形温度で前記形状記憶樹脂層に平坦面を形成しその平坦面形状を記憶した第１次賦形を施した後、前記形状記憶樹脂のガラス転移点以上の温度でかつ溶融成形温度よりも低い温度で前記平坦面形状を所定のピッチの微細なレンズ群からなるレンズ形状に変形し、そのレンズ形状を保持した状態で前記ガラス転移点より低い温度に冷却して前記レンズ形状を固定し第２次賦形を施して、前記ガラス転移点以上の温度でかつ溶融成形温度よりも低い温度で、前記記憶した第１次賦形の平坦面形状を復元するように成形加工を施された、前記第２次賦形で形成されたレンズ形状を有するレンズ部であることを特徴とする請求項１〜３のいずれか１項に記載のレンズ付き印刷物である。
【００１０】
また、請求項５に係る発明は、
前記レンズ部が、前記透明樹脂フィルム基材上に形状記憶樹脂層を形成し、その形状記憶樹脂のガラス転移点以上の溶融成形温度で前記形状記憶樹脂層に前記所定のピッチの微細なレンズ群からなるレンズ形状を記憶した第１次賦形を施した後、前記形状記憶樹脂のガラス転移点以上の温度でかつ溶融成形温度よりも低い温度で前記レンズ形状を平坦面に変形し、その平坦面形状を保持した状態で前記ガラス転移点より低い温度に冷却して前記平坦面形状を固定し第２次賦形を施して、前記ガラス転移点以上の温度でかつ溶融成形温度よりも低い温度で、前記記憶した第１次賦形のレンズ形状を復元するように成形加工を施された、前記第１次賦形で形成されたレンズ形状を有するレンズ部であることを特徴とする請求項１〜３のいずれか１項に記載のレンズ付き印刷物である。
【発明の効果】
【００１１】
本発明により、立体視または可変視用の印刷画像もしくは印刷図柄・模様が見えるようにしたレンズ付き印刷物を構成する立体視または可変視画像シートのレンズ部を形状記憶樹脂で形成することで、このレンズ付き印刷物の形状記憶樹脂からなるレンズ部が形状記憶樹脂のガラス転移点以上の温度でかつ溶融成形温度より低い温度で復元したり、または、消失したりする画像もしくは図柄・模様に独自の変化を与える立体感や加飾効果に優れるレンズ付き印刷物を提供できる。したがって、本発明のレンズ付き印刷物は観る者の注目を集め易く、パッケージ、カード、ポスター、景品等に使用して宣伝や差別効果の高いものとなる。また、本発明のレンズ付き印刷物は絵本や雑誌等に用いても利用価値の高いものとなる。
【発明を実施するための最良の形態】
【００１２】
以下、本発明の実施形態の一例について図面を参照して説明する。図１は、本発明の一実施形態としてレンズ部がレンチキュラーレンズからなるレンズ付き印刷物の一例を示す模式断面図であり、形状記憶樹脂からなるレンズ部が形状記憶樹脂のガラス転移点以上の温度でかつ溶融成形温度より低い温度で消失するレンズ付き印刷物である。図２は、本発
明の一実施形態としてレンズ部がレンチキュラーレンズからなるレンズ付き印刷物の一例を示す模式断面図であり、形状記憶樹脂からなるレンズ部が形状記憶樹脂のガラス転移点以上の温度でかつ溶融成形温度より低い温度で復元するレンズ付き印刷物。図３は、本発明の一実施形態としてレンズ部がマイクロレンズアレイからなるレンズ付き印刷物の一例を示す模式断面図であり、形状記憶樹脂からなるレンズ部が形状記憶樹脂のガラス転移点以上の温度でかつ溶融成形温度より低い温度で消失するレンズ付き印刷物である。図４は、図３で示すレンズ付き印刷物における印刷画像のドット形状が視覚される状態を説明する説明図である。図５は、本発明のレンズ付き印刷物に用いられるレンチキュラーレンズの一例を示す斜視図である。図６は、本発明のレンズ付き印刷物に用いられるマイクロレンズアレイの一例を示す斜視図である。図７および図８は、図１で示すレンズ付き印刷物に用いられる立体視または可変視画像シートのレンズ部を形成する形成方法の一例を説明する説明図である。図９および図１０は、図２で示すレンズ付き印刷物に用いられる立体視または可変視画像シートのレンズ部を形成する形成方法の一例を説明する説明図である。
【００１３】
本発明のレンズ付き印刷物は、立体視または可変視用の印刷画像（印刷図柄・模様も含む）が見えるようにしたレンズ付き印刷物において、透明樹脂フィルム基材の片面に、形状記憶樹脂からなる所定のピッチの微細なレンズ群からなるレンズ部を形成し、そのレンズ部の反対面の前記透明樹脂フィルム基材に、前記レンズピッチと前記印刷画像ピッチとが一致するように、印刷画像を形成した立体視または可変視画像シートの印刷画像面側に、熱可塑性樹脂層を介して、紙基材またはフィルム基材を積層してなることを特徴とするレンズ付き印刷物である。
【００１４】
本発明のレンズ付き印刷物の一例として、図１（ａ）で示すように、透明樹脂フィルム基材（２）の片面に、形状記憶樹脂からなる所定のピッチの微細なレンズ群からなるレンズ部としてレンチキュラーレンズからなり、そのレンズ部（１ａ）の反対面の上記透明樹脂フィルム基材（２）に、上記レンチキュラーレンズのピッチと上記印刷画像ピッチ（３）とが一致するように、印刷画像（３）を形成した立体視または可変視画像シート（４）の印刷画像（３）面側に、熱可塑性樹脂層（５）を介して、紙基材またはフィルム基材（６）を積層してなることを特徴とするレンズ付き印刷物（１０）である。
【００１５】
そして、上記レンズ部（１ａ）が、上記透明樹脂フィルム基材（２）上に形状記憶樹脂層を形成し、その形状記憶樹脂のガラス転移点以上の溶融成形温度で上記形状記憶樹脂層に平坦面を形成しその平坦面形状を記憶した第１次賦形を施した後、上記形状記憶樹脂のガラス転移点以上の温度でかつ溶融成形温度よりも低い温度で上記平坦面形状を所定のピッチの微細なレンズ群からなるレンチキュラーレンズ形状に変形し、そのレンズ形状を保持した状態で上記ガラス転移点より低い温度に冷却して上記レンズ形状を固定し第２次賦形を施して、上記ガラス転移点以上の温度でかつ溶融成形温度よりも低い温度で、上記記憶した第１次賦形の平坦面形状を復元するように成形加工を施された、上記第２次賦形で形成されたレンチキュラーレンズからなるレンズ部である。
【００１６】
上記のレンズ付き印刷物のレンズ部（１ａ）を形成するする形状記憶樹脂のガラス転移点以上の温度でかつ溶融成形温度より低い温度で、図１（ｂ）で示すように、上記で記憶した第１次賦形の平坦面形状を復元して、レンチキュラーレンズからなるレンズ部（１ａ）が消失した平坦面形状の形状記憶樹脂層（１ｂ）に変化するレンズ付き印刷物（２０）である。
【００１７】
また、本発明のレンズ付き印刷物の他の例として、図２（ａ）で示すように、透明樹脂フィルム基材（２）の片面に、平坦面形状の形状記憶樹脂層（１ｃ）を有し、その反対面の上記透明樹脂フィルム基材（２）に、印刷画像（３）を形成した立体視または可変視画
像シート（４）の印刷画像（３）面側に、熱可塑性樹脂層（５）を介して、紙基材またはフィルム基材（６）を積層してなり、上記の平坦面形状の形状記憶樹脂層（１ｃ）を、その形状記憶樹脂のガラス転移点以上の温度でかつ溶融成形温度よりも低い温度で、上記印刷画像ピッチ（３）と一致するピッチのレンチキュラーレンズからなるレンズ部（１ｄ）が復元するレンズ付き印刷物（４０）である。
【００１８】
そして、上記の復元し得るレンズ部（１ｄ）が、上記透明樹脂フィルム基材（２）上に形状記憶樹脂層を形成し、その形状記憶樹脂のガラス転移点以上の溶融成形温度で上記形状記憶樹脂層に上記所定のピッチの微細なレンズ群からなるレンズ部としてレンチキュラーレンズ形状を記憶した第１次賦形を施した後、上記形状記憶樹脂のガラス転移点以上の温度でかつ溶融成形温度よりも低い温度で上記レンチキュラーレンズ形状を平坦面に変形し、その平坦面形状を保持した状態で上記ガラス転移点より低い温度に冷却して上記平坦面形状を固定し第２次賦形を施して、上記ガラス転移点以上の温度でかつ溶融成形温度よりも低い温度で、上記記憶した第１次賦形のレンズ形状を復元するように成形加工を施された、上記第１次賦形で形成されたレンチキュラーレンズ形状からなるレンズ部である。
【００１９】
上記の形状記憶樹脂層（１ｃ）構成する形状記憶樹脂のガラス転移点以上の温度でかつ溶融成形温度よりも低い温度で、図２（ｂ）で示すように、上記で記憶した第１次賦形の所定のピッチの微細なレンズ群からなるレンズ部（１ｄ）として印刷画像ピッチ（３）とが一致するようにレンチキュラーレンズ形状を復元してレンズ部（１ｄ）に変化したレンズ付き印刷物（４０）である。
【００２０】
上記のレンズ付き印刷物に用いる立体視または可変視画像シート（４）は、レンズ部として、図５で示すような、凸状シリンドリカルレンズ（７０ａ）を並設してなるレンチキュラーレンズ（７０）を用いて、透明フィルム基材（２）の片面に印刷等により平面的に視覚表現された絵や図柄等の画像（３）（「立体視用の画像」）を透明フィルム基材（２）のもう一方の面に設けたレンチキュラーレンズにより立体的に視認できるようにしたこの立体視画像シートは、左右の目で像を結ぶことができる立体視用の画像をレンチキュラーレンズの微細な凸状シリンドリカルレンズ（７０ａ）列と同じ間隔（ピッチ）で線状に配列し、立体画像として認識することができるようにした立体視画像シート（４）である。
【００２１】
また、レンチキュラーレンズに、２種類または３種類以上の絵や図柄等の画像をこのレンズの微細な凸状シリンドリカルレンズ（７０ａ）列の間隔（ピッチ）に合わせて交互にまたは種類順に繰り返して短冊状に合成した画像（「可変視用の画像」）を配設し、見る角度によって２種類または数種類の異なる絵や図柄等の画像が見えるようにした可変視画像シート（４）である。
【００２２】
さらに、本発明のレンズ付き印刷物の別の例として、図３（ａ）で示すように、透明樹脂フィルム基材（２）の片面に、形状記憶樹脂からなる単位凸状レンズを２次元配列してなるマイクロレンズアレイからなるレンズ部（１ｅ）の反対面の上記透明樹脂フィルム基材（２）に、上記マイクロレンズアレイレンズの単位凸状レンズのピッチと上記印刷画像ピッチ（３）とが一致するように、ドットパターンからなる印刷画像（３）を形成した立体視または可変視画像シート（４）の印刷画像（３）面側に、熱可塑性樹脂層（５）を介して、紙基材またはフィルム基材（６）を積層してなることを特徴とするレンズ付き印刷物（５０）である。
【００２３】
そして、図１で示す、レンチキュラーレンズからなるレンズ部を有するレンズ付き印刷物と同様、上記のマイクロレンズアレイからなるレンズ部（１ｅ）が、上記透明樹脂フィルム基材（２）上に形状記憶樹脂層を形成し、その形状記憶樹脂のガラス転移点以上の溶
融成形温度で上記形状記憶樹脂層に平坦面を形成しその平坦面形状を記憶した第１次賦形を施した後、上記形状記憶樹脂のガラス転移点以上の温度でかつ溶融成形温度よりも低い温度で上記平坦面形状を所定のピッチの微細なレンズ群からなるマイクロレンズアレイ形状に変形し、そのレンズ形状を保持した状態で上記ガラス転移点より低い温度に冷却して上記レンズ形状を固定し第２次賦形を施して、上記ガラス転移点以上の温度でかつ溶融成形温度よりも低い温度で、上記記憶した第１次賦形の平坦面形状を復元するように成形加工を施された、上記第２次賦形で形成されたマイクロレンズアレイを有するレンズ部（１ｅ）である。
【００２４】
上記のレンズ付き印刷物のマイクロレンズアレイからなるレンズ部（１ｅ）を構成する形状記憶樹脂のガラス転移点以上の温度でかつ溶融成形温度より低い温度で、図３（ｂ）で示すように、上記で記憶した第１次賦形の平坦面形状を復元してマイクロレンズアレイからなるレンズ部（１ｅ）が消失した平坦面形状の形状記憶樹脂層（１ｆ）に変化するレンズ付き印刷物（６０）を示したものである。
【００２５】
上記では、所定のピッチの微細なレンズ群からなるレンチキュラーレンズやマイクロレンズアレイ等の１種類のレンズ付き印刷物を例示したが、本発明はこれらに限定されるものではなく、例えば、透明樹脂フィルム基材上に形状記憶樹脂層を形成し、その形状記憶樹脂のガラス転移点以上の溶融成形温度で上記形状記憶樹脂層に所定のピッチからなるマイクロレンズアレイを形成しそのマイクロレンズアレイ形状を記憶した第１次賦形を施した後、上記形状記憶樹脂のガラス転移点以上の温度でかつ溶融成形温度よりも低い温度で、上記マイクロレンズアレイ形状をそのマイクロレンズのピッチと同一のピッチを有するレンチキュラーレンズ形状に変形し、そのレンチキュラーレンズ形状を保持した状態で上記ガラス転移点より低い温度に冷却して上記レンチキュラーレンズ形状を固定し第２次賦形を施して、上記ガラス転移点以上の温度でかつ溶融成形温度よりも低い温度で、上記記憶した第１次賦形のマイクロレンズアレイ形状を復元するように成形加工を施して、２種類のレンズ付き印刷物とすることも可能である。レンチキュラーレンズとマイクロレンズアレイとでは見え方が異なる画像もしくは図柄・模様に独自の変化を与える立体感や加飾効果に優れるレンズ付き印刷物を提供できる。
【００２６】
上記のマイクロレンズアレイからなるレンズ付き印刷物における立体視または可変視画像シート（４）は、レンズ部として、図６で示すような、単位凸状レンズ（８０ａ）を２次元配列してなるマイクロレンズ（８０）を用いて、図４（ａ）で示すように、マイクロレンズの微細な単位凸レンズ（１ｅ）の間隔（ピッチ）に合わせてドットパターン等の画像（３）を印刷して配設し、このマイクロレンズと画像（３）との相互作用、即ち、空間周波数の変調によって、両方の目で見て、右目で認識する像と左目で認識する像の差を処理する両眼視差による立体視だけでなく、視点を移動させると手前にある（視覚的深度の浅い）対称画像ほど見え方が大きく変化し、逆に、奥にある（視覚的深度の深い）ものはそれほど大きな変化を見せない。この見え方の違いから対称画像の位置関係を認識してドットパターンからなる立体視画像シート（４）である。そして、このレンズ付き印刷物（５０）を観察すると、図４（ｂ）で示すように、ドット形状（３）が視覚的に奥にあるように立体視できる。
【００２７】
上述した本発明のレンズ付き印刷物におけるレンズ部を形成する形状記憶樹脂とは、形状記憶樹脂のガラス転移点以上の温度の溶融成形温度で、レンズ成形体を成形時に記憶した第１の形状から形状記憶樹脂のガラス転移点以上の温度でかつ溶融成形温度より低い温度で平坦面形状等の第２の形状に変形し、その形状に保持したままそのガラス転移点よりも低い温度で冷却してその形状を固定し、第１の形状に復元するときには再びそのガラス転移点以上の温度でかつ溶融成形温度より低い温度に戻して記憶形状を復元することができる樹脂である。
【００２８】
本発明で使用する形状記憶樹脂は、レンズを形成するものであるから透明性に優れる、イソシアネート化合物、ポリオール化合物、および鎖延長剤を反応させてなる使用温度付近にガラス転移点設定したポリウレタン系形状記憶ポリマー（ポリウレタンエラストマー）が望ましい。
【００２９】
ポリウレタンエラストマーを製造するのに使用されるイソシアネート成分としては、通常ポリウレタンに使用されるものであれば特に制限がなく、例えば、ジフェニルメタンジイソシアネート、２，４−または２，６−トリレンジイソシアネート、ｍ−またはｐ−フェニレンジイソシアネート、イソホロンジイソシアネート、ヘキサメチレンジイソシアネートおよびこれらの混合物が使用される。
【００３０】
また、ポリオール成分としては、１分子中に少なくとも２個以上の水酸基を有するものが用いられ、例えば、ジオールやトリオールなどの多価アルコール、脂肪族アミン、方向族アミンなどを開始剤として、これにアルキレンオキサイドを付加して製造されるポリオキシアルキレンポリオール、酸とアルコールの縮合により製造されるポレエステルポリオール、あるいは、ポリテトレメチレングリコール、ポリブタジエンポリオールなどが使用される。
【００３１】
鎖延長剤や架橋剤としては、エチレングリコール、ブタンジオール、ジエチレングリコールなどのグリコール、ジエタノールアミン、トリエタノールアミン、トリレンジアミン、ヘキサメチレンジアミンなどのアミン類、トリメチロールプロパンのＴＤＩ（トリエンジイソシアネート）アダクトトリフェニルメタントリイソシアネートなどのポリイソシアネートなどが挙げられる。
【００３２】
また、必要に応じて反応を促進するために触媒が使用される。触媒としては、トリエチルアミン、テトラメチルプロピレンジアミン、テトラメチルヘキサメチレンジアミン、トリレンジアミンなどの第３級アミン類またはスタナスオクトエート、スタンスオリエート、ジブチル錫ジラウレートの如き錫系触媒に代表される金属触媒があり、これらはおのおの単独にあるいは混合して使用される。上記イソシアネート、ポリオール、鎖延長剤、および必要に応じて触媒を用いてプレポリマー法によりウレタンエラストマーを合成することができる。
【００３３】
プレポリマー法によりウレタンエラストマーを合成は、まず、ジイソシアネートとポリオールを特定のモル比の配合比で反応させてプレポリマーを合成する。反応終了後、鎖延長剤／プレポリマー比のモル比が希望する配合比になるように鎖延長剤を添加し、その後脱泡型に流し込み恒温乾燥機にて架橋反応を行わせてウレタンエラストマーを合成する。上記の合成は溶媒系非溶媒系のいずれでも可能である。
【００３４】
ウレタンエラストマーのガラス転移点や物性に及ぼす要因としては、（１）イソシアネートの種類、（２）ポリオールの種類、（３）鎖延長剤の種類、（４）ジイソシアネートとポリオール配合比、（５）鎖延長剤／プレポリマー配合比、（６）アニ−リングなどが考えられるが、これら（１）〜（６）の要因を変えることにより希望するガラス転移点物性をもつウレタンエラストマーを自由に合成することが可能である。
【００３５】
本発明において使用される透明フィルム基材（２）としては、ポリエチレンテレフタレート（ＰＥＴ）、アクリル樹脂、ポリプロピレン、ポリエステル等の透明なプラスチック製のフィルムまたはシート等が使用できる。
【００３６】
本発明における立体視または可変視用の印刷画像（３）としての図柄・模様およびドッ
トパターン等の印刷方法は、特に限定されず、オフセット印刷、グラビア印刷など各種印刷方法を用いることができる。
【００３７】
本発明で用いられる熱可塑性樹脂層（５）の熱可塑性樹脂としては、例えば、低密度ポリエチレン、中密度ポリエチレン、高密度ポリエチレン、直鎖状（線状）低密度ポリエチレン、ポリプロピレン、エチエン−酢酸ビニル共重合体、アイオノマー樹脂、エチレン−アクリル酸エチル共重合体、エチレン−アクリル酸共重合体、エチレン−メタクリル酸共重合体、エチレン−プロピレン共重合体、メチルペンテンポリマー、ポリエチレンもしくはポリプロピレンなどのポリオレフィン系樹脂をアクリル酸、メタクリル酸、マレイン酸、無水マレイン酸、フマール酸、イタコン酸、その他などの不飽和カルボン酸で変性した酸変性ポリオレフィン系樹脂、ポリ酢酸ビニル系樹脂、ポリエステル系樹脂、ポリスチレン系樹脂等のが挙げられる。熱可塑性樹脂層の厚さとしては、１０〜１００μｍの範囲が好ましい。
【００３８】
また、本発明で用いられる立体視または可変視画像シート（４）に積層される紙基材もしくはフィルム基材（６）における、紙基材としては特に限定されず通常の抄紙して得られる紙が使用され、坪量が３０ｇ／ｍ2以上のものが好ましい。さらに、合成紙なども使用することもできる。また、フィルム基材においても特に限定されず、例えば、ポリエチレンテレフタレート（ＰＥＴ）アクリル樹脂、ポリプロピレン、ポリエステル等の透明なプラスチック製のフィルムまたはシート等が使用できる。厚さとしては、１２μｍ以上が好ましい。
【００３９】
次に、本発明のレンズ付き印刷物の製造方法について図面を参照して説明する。初めに、図１で示す、本発明のレンズ付き印刷物（１０）について説明すると、まず、レンズ付き印刷物に用いる立体視または可変視画像シート（４）を作成する。図７で示すように、透明樹脂フィルム基材（２）の片面に所定のピッチの印刷画像（３）を、例えば、紫外線硬化型インキを用いて印刷形成し、その反対面の透明樹脂フィルム基材（２）上に、形状記憶樹脂組成物からなる塗工液を塗布して形状記憶樹脂層（１）を形成する［図７（ａ）参照］。次いで、例えば、加熱成形プレス機（７，７′）を使用して［図７（ｂ）参照］、形状記憶樹脂層（１）を構成する形状記憶樹脂のガラス転移点以上の溶融成形温度でプレス成形して、形状記憶樹脂層（１）を平坦に形成し［図７（ｃ）参照］、その平坦面形状を記憶した第１次賦形を施した後［図７（ｄ）参照］、図８で示すように、上記の印刷画像（３）のピッチと一致する微細なレンズ群からなるレンチキュラーレンズ形状からなる金型を備えた加熱成形プレス機（８，８′）を使用して［図８（ｅ）参照］、上記形状記憶樹脂層の平坦面形状をガラス転移点以上の温度でかつ溶融成形温度より低い温度で変形し、レンチキュラーレンズからなるレンズ部（１ａ）を形成する、そのレンズ形状を保持した状態で上記ガラス転移点より低い温度に冷却して上記レンズ形状を固定し第２次賦形を施す［図８（ｆ）参照］。第２次賦形で形成されたレンチキュラーレンズからなるレンズ部（１ａ）を有する立体視または可変視画像シート（４）が得られる。
【００４０】
上記で得られた立体視または可変視画像シート（４）の印刷画像（３）面側に、熱可塑性樹脂層（５）を介して、紙基材またはフィルム基材（６）を積層してなる、図１（ａ）で示す、本発明のレンズ付き印刷物（１０）が製造できる。このレンズ付き印刷物（１０）のレンズ部（１ａ）をこのレンズ部（１ａ）を構成する形状記憶樹脂のガラス転移点以上の温度でかつ溶融成形温度より低い温度で加熱すると、図１（ｂ）で示すように、第１次賦形で記憶した平坦面形状の形状記憶樹脂層（１ｂ）を復元し、レンチキュラーレンズからなるレンズ部（１ａ）は消失する。
【００４１】
次に、図２で示す、本発明のレンズ付き印刷物（３０）について説明すると、まず、レンズ付き印刷物に用いる立体視または可変視画像シート（４）を作成する。図９で示すよ
うに、透明樹脂フィルム基材（２）の片面に所定のピッチの印刷画像（３）を、例えば、紫外線硬化型インキを用いて印刷形成し、その反対面の透明樹脂フィルム基材（２）上に、形状記憶樹脂組成物からなる塗工液を塗布して形状記憶樹脂層（１）を形成する［図９（ａ）参照］。次いで、上記印刷画像（３）のピッチと同一のピッチを有する微細なレンズ群からなるレンズ形状からなる金型を備えた加熱成形プレス機（８，８′）を使用して［図９（ｂ）参照］、形状記憶樹脂層（１）を構成する形状記憶樹脂のガラス転移点以上の溶融成形温度でプレス成形して［図９（ｃ）参照］、レンズ形状を記憶した第１次賦形を施した後［図９（ｄ）参照］、図１０で示すように、例えば、加熱成形プレス機（７，７′）を使用して［図１０（ｅ）参照］、レンズ部（１ｄ）をプレス成形によりガラス転移点以上の温度でかつ溶融成形温度より低い温度でレンチキュラーレンズ形状を平坦面形状に変形する、そのレンズ形状を保持した状態で前記ガラス転移点より低い温度に冷却して前記平坦面形状を固定し第２次賦形を施す［図１０（ｆ）参照］。第２次賦形で形成された平坦面形状の形状記憶樹脂層（１ｃ）を有する立体視または可変視画像シート（４）が得られる。
【００４２】
上記で得られた立体視または可変視画像シート（４）の印刷画像（３）面側に、熱可塑性樹脂層（５）を介して、紙基材またはフィルム基材（６）を積層してなる、図２（ａ）で示す、本発明のレンズ付き印刷物（３０）が製造できる。このレンズ付き印刷物（３０）の平坦面形状の形状記憶樹脂層（１ｃ）を構成する形状記憶樹脂のガラス転移点以上の温度でかつ溶融成形温度より低い温度で第１次賦形で記憶したレンチキュラーレンズからなるレンズ部（１ｄ）を復元して本発明のレンズ付き印刷物（４０）が得られる。
【００４３】
さらに、図３で示す、本発明のマイクロレンズアレイからなるレンズ付き印刷物（５０）の製造については、本発明のレンズ付き印刷物（１０）におけるレンチキュラーレンズ金型の代わりに、マイクロレンズアレイ金型に換えて同様に成形することにより、図３（ａ）で示すレンズ付き印刷物（５０）が得られる。このレンズ付き印刷物（５０）のレンズ部（１ｅ）を構成する形状記憶樹脂のガラス転移点以上の温度でかつ溶融成形温度より低い温度で、図３（ｂ）で示すように、第１次賦形で記憶した平坦面形状の形状記憶樹脂層（１ｆ）を復元し、マイクロレンズアレイからなるレンズ部（１ｅ）は消失する。
【００４４】
上記で得られる本発明のレンズ付き印刷物は、立体視または可変視用の印刷画像もしくは印刷図柄・模様が見えるようにしたレンズ付き印刷物を構成する立体視または可変視画像シートのレンズ部を形状記憶樹脂で形成することで、このレンズ付き印刷物の形状記憶樹脂からなるレンズ部が形状記憶樹脂のガラス転移点以上の温度でかつ溶融成形温度より低い温度で復元したり、または、消失したりする画像もしくは図柄・模様に独自の変化を与える立体感や加飾効果に優れるレンズ付き印刷物を提供できる。したがって、本発明のレンズ付き印刷物は観る者の注目を集め易く、パッケージ、カード、ポスター、景品等に使用して宣伝や差別効果の高いものとなる。また、本発明のレンズ付き印刷物は絵本や雑誌等に用いても利用価値の高いものとなる。
【図面の簡単な説明】
【００４５】
【図１】本発明の一実施形態として形状記憶樹脂からなるレンズ部がレンチキュラーレンズからなるレンズ付き印刷物の一例を示す模式断面図であり、（ａ）は、レンズ付き印刷物である。（ｂ）は、形状記憶樹脂からなるレンズ部が形状記憶樹脂のガラス転移点以上の温度でかつ溶融成形温度より低い温度で加熱されるとレンズ部が消失するレンズ付き印刷物である。
【図２】本発明の一実施形態として形状記憶樹脂からなるレンズ部がレンチキュラーレンズからなるレンズ付き印刷物の一例を示す模式断面図であり、（ａ）は、形状記憶樹脂層のガラス転移点以上の温度でかつ溶融成形温度より低い温度で加熱されるとレンズ部が復元するレンズ付き印刷物である。（ｂ）は、レンズ部が復元したレンズ付き印刷物である。
【図３】本発明の一実施形態として形状記憶樹脂からなるレンズ部がマイクロレンズアレイからなるレンズ付き印刷物の一例を示す模式断面図であり、（ａ）は、レンズ付き印刷物である。（ｂ）は、形状記憶樹脂からなるレンズ部が形状記憶樹脂のガラス転移点以上の温度でかつ溶融成形温度より低い温度で加熱されるとレンズ部が消失するレンズ付き印刷物である。
【図４】図３で示す本発明のマイクロレンズアレイからなるレンズ付き印刷物における印刷画像のドット形状が立体的に視覚される状態を説明する説明図である。
【図５】本発明のレンズ付き印刷物に用いられるレンチキュラーレンズの一例を示す斜視図である。
【図６】本発明のレンズ付き印刷物に用いられるマイクロレンズアレイの一例を示す斜視図である。
【図７】図１で示すレンズ付き印刷物に用いられる立体視または可変視画像シートのレンズ部を形成する形成方法の一例を説明する説明図である。
【図８】図１で示すレンズ付き印刷物に用いられる立体視または可変視画像シートのレンズ部を形成する形成方法の一例を説明する説明図である。
【図９】図２で示すレンズ付き印刷物に用いられる立体視または可変視画像シートのレンズ部を形成する形成方法の一例を説明する説明図である。
【図１０】図２で示すレンズ付き印刷物に用いられる立体視または可変視画像シートのレンズ部を形成する形成方法の一例を説明する説明図である。
【符号の説明】
【００４６】
１・・・形状記憶樹脂層
１ａ、１ｄ、１ｅ・・・レンズ部
１ｂ、１ｃ、１ｆ・・・平坦形状形状記憶樹脂層
２・・・透明樹脂フィルム基
３・・・印刷画像
５・・・熱可塑性樹脂層
６・・・紙基材またはフィルム基材
７、７′・・・加熱プレス成形機
８、８′・・・レンズ形状金型を備えた加熱プレス成形機
１０、４０、５０・・・立体視または可変視画像シート
２０、３０、６０・・・
７０・・・レンチキュラーレンズ
７０ａ・・・凸状シリンドリカルレンズ
８０・・・マイクロレンズアレイ
８０ａ・・・凸状単位レンズ
【図５】
2008112039.tif 000003
【図６】
2008112039.tif 000004
【図１】
2008112039.tif 000005
【図２】
2008112039.tif 000006
【図３】
2008112039.tif 000007
【図４】
2008112039.tif 000008
【図７】
2008112039.tif 000009
【図８】
2008112039.tif 000010
【図９】
2008112039.tif 000011
【図１０】
2008112039.tif 000012